(57)【要約】【課題】本発明は、液体微細化装置に関するもので、タンク内に貯めた液体を循環させるためのポンプ等の動力を使用せずタンク内に貯めた液体を循環させ、簡単な構成で複数の回転する円板の上面に液体を供給することを目的とする。【解決手段】液体微細化手段９は、上方および下方に開口部を有する筒状の経路１２と、筒状の経路１２内に設けた回転手段１３と、筒状の経路１２の下部に貯水部２６を有し、回転手段１３は、上下方向に向けて配置した回転軸１９と、回転軸１９に固定されるとともに貯水部２６から水を吸上げる揚水管２２と、この外面の回転軸１９の軸方向に所定間隔で固定された複数の回転板２０ａ〜２０ｃを設け、熱交換器７を貯水部２６の直下近傍まで伸長させて設けた。【選択図】図３
2012250015.tif 000002
【特許請求の範囲】
【請求項１】
吸込口と排気口を有する本体ケースと、
この本体ケース内の前記吸込口と前記排気口を結ぶ風路に設けた加熱手段および送風手段と、
この送風手段と前記排気口間の風路内に設けた液体微細化手段とを備え、
前記液体微細化手段は、
垂直方向に配置され、上方開口部および下方開口部を有する筒状の経路と、
この筒状の経路内に設けた回転手段と、
この回転手段に液体を供給する液体供給手段と、
前記筒状の経路の下部に設けた貯水部とを有し、
前記回転手段は、
上下方向に向けて配置した回転軸と、
この回転軸を回転させる回転モータと、
前記回転軸に固定されるとともに前記貯水部から水を吸上げる揚水管と、
この揚水管の外面の、前記回転軸の軸方向に所定間隔で固定された複数の回転板とを有し、
前記液体供給手段は、
液体を移送し、前記上方の回転板に液体を供給する給水管と、
この給水管途中に配した給水弁を有し、
前記加熱手段を、前記液体微細化手段の貯水部の直下近傍まで伸長させて設けたことを特徴とする液体微細化装置。
【請求項２】
送風手段による加熱手段の伸長部への送風の少なくとも一部を貯水部に当てる構成としたことを特徴とする請求項１記載の液体微細化装置。
【請求項３】
揚水管は、
逆円錐形状で、上方の回転板と下方の回転板の間に水平方向に長い開口（スリット）を有し、吸上げた水をこの開口から外周方向へ噴出し、
前記開口の外側周囲に筒状の経路に支持された環状の当て板を設け、
前記開口から噴出した水を当て板に当て、下方の回転板に落下させることを特徴とする請求項１または２記載の液体微細化装置。
【請求項４】
回転板は、３枚以上で、
揚水管の開口の周方向の位置を、前記回転板間毎にずらすことを特徴とする請求項３記載の液体微細化装置。
【請求項５】
前記吸込口と前記排気口を結ぶ風路を、前記液体微細化手段を経由する加湿用風路と前記液体微細化手段をバイパスする加熱用風路の２風路に分岐し、
前記加熱用風路を、前記液体微細化手段の筒状の経路の外周両側に設けたことを特徴とする請求項１〜４のいずれか一つに記載の液体微細化装置。
【請求項６】
液体微細化手段と加熱手段および送風手段を制御する制御手段を備え、
この制御手段は、前記液体供給手段から前記上方の回転板上への液体供給と、前記回転モータの回転と、前記加熱手段および前記送風手段の運転とを制御する制御部を有し、
この制御部は、前記給水弁による液体供給停止時に、前記貯水部の残水を乾燥させる乾燥運転を行うことを特徴とする請求項１〜５のいずれか一つに記載の液体微細化装置。
【請求項７】
制御手段として筒状の経路の上方開口部近傍および下方開口部近傍に温度検知手段を設け、この温度検知手段で検知した温度により、乾燥運転を制御することを特徴とする請求項６記載の液体微細化装置。
【請求項８】
制御手段として筒状の経路の上方開口部近傍および下方開口部近傍に湿度検知手段を設け、この湿度検知手段で検知した湿度により、乾燥運転を制御することを特徴とする請求項６記載の液体微細化装置。
【請求項９】
補助加熱手段を液体微細化手段の筒状の経路の上方開口部と排気口との間に設けたことを特徴とする請求項１から８のいずれか一つに記載の液体微細化装置。
【請求項１０】
前記補助加熱手段は前記加熱手段と一体の構成であることを特徴とする請求項１から９のいずれか一つに記載の液体微細化装置。
【請求項１１】
請求項１〜１０のいずれか一つに記載の液体微細化装置をサウナ室に設置したサウナ装置。
【発明の詳細な説明】
【技術分野】
【０００１】
本発明は、液体微細化装置とそれを用いたサウナ装置に関するものである。
【背景技術】
【０００２】
例えば、サウナ装置に用いられる液体微細化装置の構成は、次のような構成となっていた。
【０００３】
すなわち、給気口と排気口を有する本体ケースと、この本体ケース内の風路に設けた送風手段と、この送風手段と排気口間に設けた液体微細化手段とを備え、前記液体微細化手段は、タンク内に液体を貯め、その貯めた液体をポンプにより回転する円板の上面に供給し、円板上に薄く広がった液体を遠心力により外方に飛散させて微細化させる構成となっていた（例えば、下記特許文献１参照）。
【先行技術文献】
【特許文献】
【０００４】
【特許文献１】特開平４−１１８０６８号公報
【発明の概要】
【発明が解決しようとする課題】
【０００５】
上記従来例で課題となるのは、タンク内に液体を貯め、複数の回転する円板の上面に液体を供給するため、装置外にポンプ等の動力と各円板に液体を供給するための配管が必要であるということである。
【０００６】
すなわち、従来の液体微細化装置は、上述のごとく、タンク内に貯めた液体を循環させて回転する円板の上面に液体を供給しているが、循環のためにポンプ等の動力及び円板の枚数に応じた液体の供給管が必要となり、装置内外とも部品の点数が多くなり、複雑な構成になるという課題があった。
【０００７】
そこで本発明は、タンク内に貯めた液体を循環させるためのポンプ等の動力を使用せずタンク内に貯めた液体を循環させ、簡単な構成で複数の回転する円板の上面に液体を供給することを目的とするものである。
【課題を解決するための手段】
【０００８】
そして、この目的を達成するために本発明は、吸込口と排気口を有する本体ケースと、この本体ケース内の前記吸込口と前記排気口を結ぶ風路に設けた加熱手段および送風手段と、この送風手段と前記排気口間の風路内に設けた液体微細化手段とを備え、前記液体微細化手段は、上下方向に開口した筒状の経路と、この筒状の経路内に設けた回転手段と、この回転手段に液体を供給する液体供給手段と、前記筒状の経路の下部に設けた貯水部とを有し、前記回転手段は、上下方向に向けて配置した回転軸と、この回転軸を回転させる回転モータと、前記回転軸に固定されるとともに前記貯水部から水を吸上げる揚水管と、この揚水管の外面の、前記回転軸の軸方向に所定間隔で固定された複数の回転板とを有し、前記液体供給手段は、液体を移送し、前記上方の回転板に液体を供給する給水管と、この給水管途中に配した給水弁を有し、前記加熱手段を、前記液体微細化手段の貯水部の直下近傍まで伸長させて設けた構成とし、これにより、上記目的を達成している。
【発明の効果】
【０００９】
以上のように、本発明は、揚水管を回転板と同じ回転モータで回転させることにより、貯水部に溜まった水を吸上げるとともに、上方の回転板と下方の回転板の間に開口から吸上げた水を回転板に供給でき、結果として、揚水管がポンプの循環の役目と回転板への液体供給を兼ねており、簡単な構成で、液体の循環と回転板への液体供給を実現させることができる。
【００１０】
さらに、前記加熱手段を、前記液体微細化手段の貯水部の直下近傍まで伸長させて設けた構成にすることにより、加熱手段を通過した暖かい空気で貯水部内の水温を高めることができるので、微細化の効率を高めることができる。
【図面の簡単な説明】
【００１１】
【図１】本発明の実施の形態における液体微細化装置を用いたサウナ装置の斜視図
【図２】同液体微細化装置の水平断面を示す構成図
【図３】同液体微細化装置の図２のＡ−Ａ断面を示す構成図
【図４】（ａ）同揚水管の側面を示す構成図、（ｂ）同揚水管の構成を示す斜視図、（ｃ）同揚水管の図４のＡ−Ａ断面を示す構成図、（ｄ）同揚水管の図４のＢ−Ｂ断面を示す構成図
【図５】同制御手段のブロック図
【図６】同液体微細化装置の熱交換器と補助熱交換器が一体の構成図
【図７】同液体微細化装置の図６の構成における水平断面を示す構成図
【図８】同乾燥運転の制御を示すフローチャート
【発明を実施するための形態】
【００１２】
以下、本発明の実施の形態について、図面を参照しながら説明する。
【００１３】
（実施の形態１）
図１は、本発明の実施の形態における液体微細化装置を用いたサウナ装置の斜視図であり、この図１に示すように、サウナ室１の天井面２には、液体微細化装置３が取り付けられている。
【００１４】
液体微細化装置３は、図２と図３に示すように、吸込口４と排気口５を有する本体ケース６と、この本体ケース６内の吸込口４と排気口５とを結ぶ風路の吸込口４の近傍に設けた加熱手段としての熱交換器７および送風手段としてのファンモータ８ａ、８ｂと、このファンモータ８ａ、８ｂと排気口５との間に設けられた液体微細化手段９と、この液体微細化手段９と排気口５との間に補助加熱手段として設けられた補助熱交換器１１とを備えた構成としている。
【００１５】
なお、本実施の形態では、一例として、吸込口４と排気口５とを結ぶ風路は、吸込口４から熱交換器７を通過後、図２に示す、液体微細化手段９を経由する加湿用風路（矢印Ｘ）と、液体微細化手段９をバイパスする（経由しない）加熱用風路（矢印Ｙ）の２風路に分岐した構成としている。また、ファンモータ８ａ、８ｂは１モータ２ファンである。
【００１６】
まず、加湿用の風路（矢印Ｘ）構成から説明する。
【００１７】
図３に示すように、ファンモータ８ａから液体微細化手段９へ通じる風路は、ファンケーシング１０により形成されており、矢印Ｘに示すように、筒状の経路１２の下側開口に接続している。
【００１８】
そして、液体微細化手段９は、筒状の経路１２と、この筒状の経路１２の内部に設けた回転手段１３と、この回転手段１３に水を供給する液体供給手段としての給水管１４を備えている。この給水管１４には定流量弁１５を設け、この定流量弁１５の上流側配管１６は、筒状の経路１２に接触するように配している（図面では煩雑化を避けるために、若干の隙間が形成されている）。さらに給水弁１７が上流側配管１６に設けられている。
【００１９】
回転手段１３は、上下方向に向けて配置した回転軸１９と、この回転軸１９の上部に配置されるとともに、この回転軸１９を駆動するための回転モータ２１と、回転軸１９の下部に配置されるとともに、逆円錐状となった揚水管２２と、この揚水管２２の外面の上下方向に所定間隔で固定して設けた複数の回転板２０ａ，２０ｂ、２０ｃとにより構成されている。
【００２０】
なお、前記複数の回転板２０ａ，２０ｂ、２０ｃは、回転軸１９の軸方向（上下方向）に、上方から下方に向けて順に、回転板２０ａ、回転板２０ｂ、回転板２０ｃとして配置している。
【００２１】
したがって、回転軸１９を中心として揚水管２２と、複数の回転板２０ａ、２０ｂ、２０ｃが、回転モータ２１によって回転駆動されるようになっている。
【００２２】
回転板２０ａ、回転板２０ｂ、回転板２０ｃは、何れも水平方向に配置されており、この内、回転板２０ａ、回転板２０ｂの間、及び回転板２０ｂ、回転板２０ｃの間には、揚水管２２で揚水した水を下方の回転板２０ｂ、回転板２０ｃへ落下させる当て板２３を環状に設けている。
【００２３】
なお、環状の当て板２３は、筒状の経路１２の内壁からの複数の支持棒２４で支持されている。
【００２４】
また、図４に示すように、前記揚水管２２の回転板２０ａ、回転板２０ｂの間部分には、揚水した水を回転による遠心力で噴出させる水平方向に長い開口２５ａを所定角度で２個配置している。
【００２５】
また、前記揚水管２２の回転板２０ｂ、回転板２０ｃの間部分には、揚水した水を回転による遠心力で噴出させる水平方向に長い開口２５ｂを所定角度で２個配置している。
【００２６】
なお、２個の開口２５ａの開口方向は１８０度の位置で、また２個の開口２５ｂの開口方向は１８０度の位置となっており、さらに隣接する開口２５ａ、２５ｂの開口方向は９０度の位置となっている。
【００２７】
また、各開口２５ａ、２５ｂの中心角θは９０度であり、その結果として、揚水管２２の内面側で揚水した水を、揚水管２２の外周方向３６０度、つまり全周に噴出させることができる。
【００２８】
また、筒状の経路１２の下部には図２に示すごとく貯水部２６を設けているが、この貯水部２６は、揚水管２２で揚水できない水量、すなわち微細化運転終了時の貯水部２６の貯水量が少なくなるよう、筒状の経路１２の下部において、例えば逆台形の形状（下方に凸）としている。
【００２９】
そして、図３に示すように、液体微細化手段９と排気口５との間の液体微細化手段９側に、補助加熱手段としての補助熱交換器１１を設けている。
【００３０】
次に、液体微細化手段９をバイパスする加熱用風路（矢印Ｙ）構成を説明する。
【００３１】
図２の矢印Ｙで示すように、加熱用風路（矢印Ｙ）は、ファンモータ８ａ、８ｂから液体微細化手段９をバイパスし（経由せず）、筒状の経路１２の両外周側面を経由し、排気チャンバー３３内で、加湿用風路（矢印Ｘ）と合流し、排気口５から排出される。
【００３２】
また、温度検知手段として、筒状の経路１２の下部開口近傍に温度センサ２７ａ、筒状の経路１２の上部開口近傍に温度センサ２７ｂが設けられている。
【００３３】
次に制御手段２８の構成を、図５を用いて説明する。
【００３４】
制御手段２８は制御部２９と、表示部や運転操作スイッチ（図示なし）を備えたリモコン３０と、温度検知手段としての温度センサ２７ａおよび温度センサ２７ｂで構成されている。
【００３５】
制御部２９はマイクロコンピューター（以下マイコンと記載、図示なし）を有し、マイコンはリモコン３０からの操作信号により、熱交換器７へ温水を供給するポンプの制御や、ファンモータ８ａ、８ｂの制御や、回転軸１９を駆動する回転モータ２１の制御や、給水弁１７の制御などを行うようにしている。
【００３６】
以上の構成において、次に動作（加湿用）を説明する。
【００３７】
図１に示すように、サウナ室１内において、サウナを使用する場合、まず、図示していないガス湯沸かし器や電気温水器等の熱源からパイプ３１を介し、図２に示すように、熱交換器７および図３に示す補助熱交換器１１に温水が供給される。また、給水管１４へは配管３２により市水が供給される。
【００３８】
この状態で、熱交換器７が運転され、図２に示すように、ファンモータ８ａ、８ｂが駆動されると、吸込口４を介して図１に示すサウナ室１内の空気を吸い込み、吸い込まれた空気は熱交換器７によって加熱される。
【００３９】
そして、加熱された空気は、ファンモータ８ａによって、ファンケーシング１０ａを介して、筒状の経路１２の下側開口へと送られるとともに、ファンモータ８ｂによって、ファンケーシング１０ｂを介して、排気チャンバー３３に送られる。
【００４０】
一方、回転モータ２１が駆動されると、回転軸１９が高速回転し、それにともない回転板２０ａおよび回転板２０ｂ、回転板２０ｃ、および揚水管２２が高速回転される。
【００４１】
このとき、給水管１４は、高速回転する上方の回転板２０ａの上面の回転軸１９に近い位置に、定流量弁１５で設定された流量の水を供給する。上方の回転板２０ａの上面に供給された水は、高速回転による遠心力によって外周方向に向かって薄膜状に広がり、この薄膜状になった水は、回転板２０ａの外周縁から接線方向へと高速で吹き飛ばされる。
【００４２】
このように、遠心力で飛散した水滴は、筒状の経路１２の内壁に衝突して破砕され、水の微細化が促進される。
【００４３】
そして、給水管１４から上方の回転板２０ａの上面に供給された水は、この時点で大部分が微細化され、前述の加熱された暖かい空気と混ざって蒸気の状態となっている。
【００４４】
一方、上方の回転板２０ａから遠心力により飛散した水滴のうち、微細化されずに筒状の経路１２の内壁に付着したわずかな水滴や、微細化された後に内壁において結露した微量の水滴は、筒状の経路１２の内壁を伝って、貯水部２６に流れ落ち、貯水される。
【００４５】
このとき、貯水部２６の上方では前記回転モータ２１によって揚水管２２が回転している。このため、貯水部２６の貯水量が増え、水面が揚水管２２の下端に近づくと、貯水部２６の貯水は水面上の空気と一緒に揚水管２２内に巻き上げられ、揚水管２２の内壁を伝って上方へ移動していく。
【００４６】
すなわち、この揚水管２２は、上述のごとく逆円錐状となっているので、内部には吸引力が働くようになっている。このため、貯水部２６の貯水は水面上の空気と一緒に巻き上げられ、揚水管２２の内壁を伝って上方へ移動していく。
【００４７】
そして揚水管２２の内壁を伝って上方へ移動した水は、まず、回転板２０ｂ、回転板２０ｃの間の開口２５ｂから回転による遠心力で噴出し、環状に設けられた当て板２３に当たり、回転板２０ｃへ落下する。
【００４８】
回転板２０ｃへ落下した水は、上方の回転板２０ａの上面に供給された水と同様に、高速回転による遠心力によって外周方向に向かって薄膜状に広がり、この薄膜状になった水は、回転板２０ｃの外周縁から接線方向へと高速で吹き飛ばされる。
【００４９】
このように、遠心力で飛散した水滴は、筒状の経路１２の内壁に衝突して破砕され、水の微細化が促進される。
【００５０】
また揚水管２２の内壁を伝って上方へ移動し、開口２５ｂから噴出しなかった水は、回転板２０ａ、回転板２０ｂの間の開口２５ａから回転による遠心力で噴出し、環状に設けられた当て板２３に当たり、回転板２０ｂへ落下する。
【００５１】
回転板２０ｂへ落下した水は、上方の回転板２０ａの上面に供給された水と同様に、高速回転による遠心力によって外周方向に向かって薄膜状に広がり、この薄膜状になった水は、回転板２０ｂの外周縁から接線方向へと高速で吹き飛ばされる。
【００５２】
このように、遠心力で飛散した水滴は、筒状の経路１２の内壁に衝突して破砕され、水の微細化が促進される。
【００５３】
このとき揚水管２２の内壁を伝って上方へ移動する水は、回転モータ２１が高速回転しているため、螺旋状に旋回して上方へ移動するのではなく、内壁全周において略均一な状態で真上に移動していく。
【００５４】
すなわち、回転板２０ａ、回転板２０ｂの間、及び回転板２０ｂ、回転板２０ｃの間に２個ずつ設けられた水平方向に長い開口２５ａ、２５ｂの位置を、周方向で同じ位置に設けた場合、揚水管２２の内壁を伝って上方へ移動してきた水は最初の開口２５ｂから噴出し、上側の開口２５ａへは水が上がって来なくなる。
【００５５】
このため、前述の図４で説明したように、各回転板２０ａ〜２０ｃの間で水を噴出させる方向が異なるように、上述のごとく開口２５ａ、２５ｂの位置を周方向にずらしている。
【００５６】
このように、揚水管２２で揚水した水も、上方の回転板２０ａに供給した水と同様、ほとんど全て微細化され、加熱された暖かい空気と混ざって蒸気の状態となって上方の開口から排出されるが、一部は、微細化されずに筒状の経路１２の内壁に付着したわずかな水滴や、微細化された後に内壁において結露した微量の水滴となり、これらの水滴が、筒状の経路１２の内壁を伝って、貯水部２６に流れ落ち、貯水される。
【００５７】
このとき、図３に示すように、熱交換器７を貯水部２６の直下近傍まで伸長させて設けているので、熱交換器７を通過し暖められた空気が貯水部２６に当たることにより貯水部２６に溜まった水を加熱する。なお、図３では、熱交換器７と貯水部２６が接触しているように見えるが、実際は隙間があり、通風路を形成している。
【００５８】
この加熱された水が上記のように揚水管２２から回転板２０ｂ、回転板２０ｃに供給され、回転板２０ｂ、回転板２０ｃの外周縁から接線方向へと高速で吹き飛ばされると、遠心力で飛散した水滴は、加熱しない場合と比べ、気化しやすく、水の微細化がより促進される。
【００５９】
そして、図２および図３に示すように、補助熱交換器１１を、液体微細化手段９の筒状の経路１２の上方の開口と排気口５との間に設けた構成とする。
【００６０】
このように構成することで、微細化しきれなかった液体を、補助熱交換器１１にて気化させることができるので、結果として、微細化された液体のみを排気口５から排出することができる。
【００６１】
また、回転板２０ａ，２０ｂ、２０ｃの回転による音が、補助熱交換器１１により遮られ、排気口５から回転板２０ａ，２０ｂ、２０ｃの音が出ることがなくなり、結果、騒音を防止することができることにもなる。
【００６２】
一方、筒状の経路１２の下側開口から液体微細化手段９へ流入した高温低湿の乾燥空気は、まず下方の回転板２０ｂ、２０ｃの外周縁から接線方向へと高速で吹き飛ばされた水と接触し、水を微細化して、湿度が上昇するとともに、気化熱を奪われ、温度は少し下がった空気となる。
【００６３】
次に、筒状の経路１２内を下から上へ上昇し、上方の回転板２０ａの外周縁から接線方向へと高速で吹き飛ばされた水と接触し、水を微細化して、さらに湿度が上昇するとともに、さらに気化熱を奪われ、温度の低下した空気となる。
【００６４】
しかし、湿度が上昇し、気化熱を奪われ温度が低下した空気は、図３に示すように、補助熱交換器１１により温度を上昇させるとともに、微細化されていない水を気化させ、ほぼ全て微細化させた水を含んだ空気となる。
【００６５】
また、このとき、加熱用風路（矢印Ｙ）が筒状の経路１２の両外周側面を経由しているので、加熱用風路（矢印Ｙ）内の熱交換器７を通過して暖められた空気により筒状の経路１２の外壁面が暖められ、筒状の経路１２内で微細化により気化熱を奪われ温度の低下した空気を暖める、すなわち筒状の経路１２内の温度低下を低減することができる。
【００６６】
このように、回転板２０ａ，２０ｂ、２０ｃの高速回転によって微細化された温水を含む高湿の空気は、図３に示すように、ファンモータ８ａの送風によって、筒状の経路１２の上部開口から排気チャンバー３３に送られ、排気チャンバー３３内で、加熱用風路（矢印Ｙ）を通ってきた高温乾燥空気と混合することにより、気化熱により低下した温度が更に上がり、排気口５からサウナ室１の内部へ供給される。
【００６７】
また、図６に示すように補助熱交換器１１に関しては、熱交換器７と一体の構造とすることが可能である。この構造とすることにより、構成部品点数の削減に伴う装置の簡略化が図れるのはもちろんのこと、図６に示すように排気口５の上流近傍に補助熱交換器１１が配置されることとなるので、液体微細化手段９から放出された微細水滴が補助熱交換器１１を介するまでに流通する経路を長く確保することができる。
【００６８】
すなわち、微細水滴が通過する経路が長くなることで、結果として微細水滴が蒸発するのに有する時間を長く確保することができ、空気中に含まれる微細水滴は効率良く気化されるため、補助熱交換器１１通過段階においては、気化潜熱により充分温度が低下した加湿空気となり、補助熱交換器１１と効率良く熱交換できる。
【００６９】
この熱交換器７と補助熱交換器が一体となった構成においては、図７に示すように加湿用風路（矢印Ｘ）と加熱用風路（矢印Ｙ）が合流した下流で熱交換器７を介することとなる。この構成となることで、風路の合流箇所における気流の乱れによる騒音をその下流に配置する熱交換器で遮音する事ができ、結果として装置としての低騒音化を図ることが可能となる。
【００７０】
次に排水の必要性をなくすために実行する、微細化（サウナ）運転終了後の乾燥運転について図８のフローチャートを用いて説明する。
【００７１】
図８のフローチャートに示すように、タイマーあるいはリモコン３０の操作によりサウナ運転が終了すると、まず、給水弁１７を閉じ、給水管１４から上方の回転板２０ａの上面への水の供給を停止する。
【００７２】
この時点での水の供給源は貯水部２６だけであり、揚水管２２による揚水が可能な間は、揚水管２２により回転板２０ｂ、回転板２０ｃへ前述のように水が供給され、大部分が微細化され、ファンモータ８ａ、８ｂの送風によって、排気口５からサウナ室１の内部へ排出される。
【００７３】
揚水管２２による揚水ができなくなり、貯水部２６に残った水は、ファンモータ８ａ、８ｂの送風、熱交換器７および補助熱交換器１１には温水循環を継続させた状態なので温風をその残水に当てることにより、次第にその残水は減っていく。
【００７４】
本実施形態の場合、揚水管２２による揚水ができなくなった時の貯水部２６の残水量は約５ｃｃ（実験から）で、乾燥運転を１０分も行えば、貯水部２６の残水を乾燥できる。
【００７５】
また、このとき、前述したように、熱交換器７を貯水部２６の直下近傍まで伸長させて設けているので、貯水部２６に溜まった水を加熱することができ、貯水部２６の残水をより早く乾燥できる。
【００７６】
この乾燥運転は、図５のフローチャートに示すように、タイマーで１０分間だけ行ってもよく、図２に示す液体微細化手段９の入口に設けた温度センサ２７ａと出口に設けた温度センサ２７ｂの検知した温度（Ｔ１、Ｔ２）を用いて乾燥運転を終了させてもよい。
【００７７】
すなわち、省エネのため少しでも乾燥運転時間を短くしたい場合、液体微細化手段９で残水が有る場合には水の蒸発により送風空気から気化熱が奪われるため、入口の空気温度よりも出口の空気温度の方が低くなることを利用して出入口の温度差（Ｘ）から乾燥状態を判断し、乾燥運転を終了させることができる。
【００７８】
温度センサ２７ａ、２７ｂの代わりに湿度センサを用いてもよく、より明確に乾燥状態が判断できる。
【００７９】
以上のような構成と動作によれば、上述のとおり、揚水管２２を回転板２０ａ，２０ｂ、２０ｃと同じ回転モータ２１で回転させることにより、貯水部２６に溜まった水を吸上げるとともに、回転板２０ｂと回転板２０ｃおよび回転板２０ａと回転板２０ｂの間に開口２５から吸上げた水を回転板２０ｂ、２０ｃに供給でき、結果として、揚水管２２がポンプの循環の役目と回転板２０ｂ、２０ｃへの液体供給を兼ねており、簡単な構成で、液体の循環と回転板への液体供給を実現させることができる。
【００８０】
また、加熱用風路（矢印Ｙ）が筒状の経路１２の両外周側面を経由しているので、熱交換器７を通過して暖められた、加熱用風路（矢印Ｙ）内の空気により筒状の経路１２の外壁面が暖められ、筒状の経路１２内で微細化により気化熱を奪われ温度の低下した空気を暖める、すなわち筒状の経路１２内の温度低下を低減することができる。
【００８１】
また、乾燥運転時においても、熱交換器７を通過して暖められた、加熱用風路（矢印Ｙ）内の空気の熱を筒状の経路１２の加熱に有効に用いることができ、筒状の経路１２内の残水を乾燥させる乾燥運転の時間を短くできる。
【００８２】
このように、上記の液体微細化装置３をサウナ室１に設置してサウナ装置として利用した場合、揚水管を回転板と同じ回転モータで回転させることにより、貯水部に溜まった水を吸上げるとともに、上方の回転板と下方の回転板の間に開口から吸上げた水を回転板に供給でき、結果として、揚水管がポンプの循環の役目と回転板への液体供給を兼ねており、簡単な構成で、液体の循環と回転板への液体供給を実現させることができる。
【００８３】
さらに、熱交換器７を貯水部２６の直下近傍まで伸長させて設けているので、熱交換器７を通過し暖められた空気が貯水部２６に当たることにより貯水部２６に溜まった水を加熱する。
【００８４】
この加熱された水が上記のように揚水管２２から回転板２０ｂ、回転板２０ｃに供給され、回転板２０ｂ、回転板２０ｃの外周縁から接線方向へと高速で吹き飛ばされると、遠心力で飛散した水滴は、加熱しない場合と比べ、気化しやすく、水の微細化がより促進される。
【００８５】
また、吸込口４と排気口５を結ぶ風路を、液体微細化手段を経由する加湿用風路（矢印Ｘ）と液体微細化手段をバイパス（経由しない）する加熱用風路（矢印Ｙ）の２風路に分岐し、加熱用風路（矢印Ｙ）を、液体微細化手段９の筒状の経路１２の両側に設けた構成にすることにより、筒状の経路１２内の温度を高めることができるので、微細化の効率を高めることができる。
【００８６】
また、わずかに残った非微細化水を特別に排出せずとも、乾燥運転により残水をなくすことができるので、微細化できなかった水を排水として処理するための配管施工の工事が不要となり、結果として、サウナ装置の施工作業が簡単になるという効果も奏する。
【産業上の利用可能性】
【００８７】
以上のように、本発明の液体微細化装置は、揚水管を回転板と同じ回転モータで回転させることにより、貯水部に溜まった水を吸上げるとともに、上方の回転板と下方の回転板の間に開口から吸上げた水を回転板に供給することが可能となるため、簡単な構成で、液体の循環と回転板への液体供給を実現させることが可能となる。
【００８８】
したがって、例えば、サウナ装置、加湿装置、冷却装置、噴霧装置、洗浄装置、植物育成設備等への活用が期待される。また、温水だけでなく、油や洗剤等のその他の液体の微細化設備にも利用することが可能である。
【符号の説明】
【００８９】
４    吸込口
５    排気口
６    本体ケース
７    熱交換器
８ａ、８ｂ  ファンモータ
９    液体微細化手段
１０、１０ａ、１０ｂ  ファンケーシング
１１  補助熱交換器
１２  筒状の経路
１３  回転手段
１４  給水管
１５  定流量弁
１６  上流側配管
１７  給水弁
１９  回転軸
２０ａ、２０ｂ、２０ｃ  回転板
２１  回転モータ
２２  揚水管
２３  当て板
２４  支持棒
２５、２５ａ、２５ｂ  開口
２６  貯水部
２７ａ、２７ｂ  温度センサ
２８  制御手段
２９  制御部
３０  リモコン
３１  パイプ
３２  配管
３３  排気チャンバー
【図１】
2012250015.tif 000003
【図２】
2012250015.tif 000004
【図３】
2012250015.tif 000005
【図４】
2012250015.tif 000006
【図５】
2012250015.tif 000007
【図６】
2012250015.tif 000008
【図７】
2012250015.tif 000009
【図８】
2012250015.tif 000010